(57)【要約】【課題】地震が発生したときの大きな揺れにて引出が飛び出そうとすることを防止することができると共に、その構造を極めて簡単にする引出用耐震ラッチとすること。【解決手段】ケーシングＡと、振子状部材Ｂと、裏面側に被当接部１２が形成されたフック部材Ｃとからなり、振子状部材Ｂは前記ケーシングＡの内部に揺動自在で且つ重心位置よりも上方の位置が枢支連結されること。前記フック部材Ｃは、前記振子状部材Ｂの揺動する面に対してと略直交する垂直面上を揺動自在となるように上端が前記ケーシングＡの開口１ｅに枢支連結されること。前記振子状部材Ｂは傾動にて前記被当接部１２に当接することにより前記振子状部材Ｂの下部側が前記ケーシングＡの開口１ｅから外方に突出してなること。【選択図】図１
2007175252.tif 000002
【特許請求の範囲】
【請求項１】
ケーシングと、振子状部材と、裏面側に被当接部が形成されたフック部材とからなり、前記振子状部材は前記ケーシングの内部に揺動自在で且つ重心位置よりも上方の位置が枢支連結され、前記フック部材は、前記振子状部材の揺動する面に対してと略直交する垂直面上を揺動自在となるように上端が前記ケーシングの開口に枢支連結され、前記振子状部材は傾動にて前記被当接部に当接することにより前記フック部材の下部側が前記ケーシング開口から外方に突出してなることを特徴とする引出用耐震ラッチ。
【請求項２】
ケーシングと、上端に作動突起部が形成された振子状部材と、裏面側に被当接部が形成されたフック部材とからなり、前記振子状部材は前記ケーシングの内部に揺動自在で且つ重心位置よりも上方の位置が枢支連結され、前記フック部材は、前記振子状部材の揺動する面に対して略直交する垂直面上を揺動自在となるように上端が前記ケーシングの開口に枢支連結され、前記振子状部材の突起部は、前記振子状部材の傾動時のみ前記フック部材の被当接部に当接してなることを特徴とする引出用耐震ラッチ。
【請求項３】
請求項２において、前記被当接部は、前記フック部材の上部に略水平状に形成され、前記作動突起部は、前記振子状部材の上端に適宜の間隔をおいて２つ形成され、常時は、前記２つの作動突起部の間に前記被当接部が位置してなることを特徴とする引出用耐震ラッチ。
【請求項４】
請求項２又は３において、前記被当接部の長手方向両端は略曲面形状に形成されてなることを特徴とする引出用耐震ラッチ。
【請求項５】
請求項２，３又は４において、前記作動突起部の前記被当接部に最初に当接する部分は傾斜面としてなることを特徴とする引出用耐震ラッチ。
【請求項６】
請求項１，２，３，４又は５において、前記振子状部材は揺動中心部よりも下部側に重量部が形成されてなることを特徴とする引出用耐震ラッチ。
【請求項７】
請求項６において、前記重量部は、収納室部と、該収納室部に収納される錘材とからなることを特徴とする引出用耐震ラッチ。
【請求項８】
請求項７において、前記錘材は、適宜の枚数の薄板片から構成されてなることを特徴とする引出用耐震ラッチ。
【発明の詳細な説明】
【技術分野】
【０００１】
本発明は、地震が発生したときの大きな揺れにて引出が飛び出そうとすることを防止することができると共に、その構造を極めて簡単にすることができる引出用耐震ラッチに関する。
【背景技術】
【０００２】
近年の家具では、種々の機構が装着され、引出がより一層，滑らかで引き出し易くなっているものが多い。その多くは軽く引くだけで、引出が滑り出すようにして引き出されるものである。このような引出であるがゆえに、地震が発生したときには、揺れが大きいと、引出が勢いよく飛び出してしまい、最悪の場合には家具本体から飛び抜けてしまい、収納物が飛散し、ひいては周囲にいる人々に怪我を負わせるおそれも充分にあり得るものである。
【特許文献１】特開２００３−２４１５６
【発明の開示】
【発明が解決しようとする課題】
【０００３】
上記のように、地震の発生によって、家具本体から引出が飛び出ることを防止する対策を講ずるために特許文献１等に開示された発明が存在する。この発明では、構成する部品が比較的多く、複雑な構造となっている。したがって、高価なものとなり、また、家具本体及び引出に装着することにおいては、複雑な作業となり、その装着にも極めて高い精度が要求される。本発明が解決しようとする課題（技術的課題又は目的）は、家具本体や引出に対してその装着が簡単であり、且つ装置の構造が簡単であり、このようなことに加えて地震発生時に良好に反応して確実な動作を行なえることを実現することである。
【課題を解決するための手段】
【０００４】
そこで、発明者は、上記課題を解決すべく、鋭意，研究を重ねた結果、請求項１の発明は、ケーシングと、振子状部材と、裏面側に被当接部が形成されたフック部材とからなり、前記振子状部材は前記ケーシングの内部に揺動自在で且つ重心位置よりも上方の位置が枢支連結され、前記フック部材は、前記振子状部材の揺動する面に対して略直交する垂直面上を揺動自在となるように上端が前記ケーシングの開口に枢支連結され、前記振子状部材は傾動にて前記被当接部に当接することにより前記フック部材の下部側が前記ケーシング開口から外方に突出してなる引出用耐震ラッチとしたことにより、上記課題を解決した。
【０００５】
次に、請求項２の発明は、ケーシングと、上端に作動突起部が形成された振子状部材と、裏面側に被当接部が形成されたフック部材とからなり、前記振子状部材は前記ケーシングの内部に揺動自在で且つ重心位置よりも上方の位置が枢支連結され、前記フック部材は、前記振子状部材の揺動する面に対して略直交する垂直面上を揺動自在となるように上端が前記ケーシングの開口に枢支連結され、前記振子状部材の突起部は、前記振子状部材の傾動時のみ前記フック部材の被当接部に当接してなる引出用耐震ラッチとしたことにより、上記課題を解決した。
【０００６】
請求項３の発明は、前述の構成において、前記被当接部は、前記フック部材の上部に略水平状に形成され、前記作動突起部は、前記振子状部材の上端に適宜の間隔をおいて２つ形成され、常時は、前記２つの作動突起部の間に前記被当接部が位置してなる引出用耐震ラッチとしたことにより、上記課題を解決した。
【０００７】
請求項４の発明は、前述の構成において、前記被当接部の長手方向両端は略曲面形状に形成されてなる引出用耐震ラッチとしたことにより、上記課題を解決した。次に、請求項５の発明は、前述の構成において、前記作動突起部の前記被当接部に最初に当接する部分は傾斜面としてなる引出用耐震ラッチとしたことにより、上記課題を解決した。
【０００８】
請求項６の発明は、前述の構成において、前記振子状部材は揺動中心部よりも下部側に重量部が形成されてなる引出用耐震ラッチとしたことにより、上記課題を解決した。次に、請求項７の発明は、前述の構成において、前記重量部は、収納室部と、該収納室部に収納される錘材とからなる引出用耐震ラッチとしたことにより、上記課題を解決した。次に、請求項８の発明は、前述の構成において、前記錘材は、適宜の枚数の薄板片から構成されてなる引出用耐震ラッチとしたことにより、上記課題を解決した。
【発明の効果】
【０００９】
請求項１の発明によって、振子状部材は前記ケーシングの開口内部に重心位置より上部位置が枢支連結されることにより、常時は、揺動中心と重心位置とを結ぶ線が鉛直方向となるように静止している。また、前記フック部材は上部側が前記ケーシングの開口に枢支連結されたものであり、地震発生時において、前記振子状部材が揺動して傾動するときのみ前記被当接部に当接して、前記フック部材をその下部側が前記ケーシング開口から外方に突出させることができる。さらに前記フック部材は、前記振子状部材の揺動方向と略直交する垂直面上を揺動自在となるように上端が前記ケーシングの開口に枢支連結された構造であり、非作動時は、振子状部材とフック部材とはケーシング内に収まるようにすることができ、極めてコンパクトな構造とすることができる。
【００１０】
そして、前記フック部材の係止部が家具本体側に装着され、引出側には本発明におけるフック部材が係止可能なストッパ体が装着されるのみで、地震時における引出の家具本体からの飛び出し及び脱落を防止できるものである。この装置は、部品点数が少なく、その構成も極めて簡単であり、低価格にて提供でき、その家具本体及び引出への装着も簡単にできる。しかも、地震発生時における引出の家具本体からの飛び出し及び脱落を防止する動作は、確実に行なわれるものである。
【００１１】
次に、請求項２の発明によれば、振子状部材は前記ケーシングの開口内部に重心位置より上部位置が枢支連結されていることにより、常時は、揺動中心と重心位置とを結ぶ線が鉛直方向となるように静止している。また、前記フック部材は、前記被当接部の位置よりも上方側が前記ケーシングの開口部に枢支連結されており、前記振子状部材が傾動時のみその突起部がフック部材の裏面側より前記被当接部に当接する構成としたものである。
【００１２】
そのために、前記被当接部が振子状部材の突起部によって、開口部より外方に押し出される状態となり、前記フック部材は、ケーシングとの枢支連結箇所を回動中心として、フック部材の下部側がケーシングの開口部より外方に確実に突出することができるものである。そして、前記フック部材の係止部が家具本体側に装着され、引出側には本発明におけるフック部材が係止可能なストッパ体が装着されるのみで、地震時における引出の家具本体からの飛び出し及び脱落を防止できるものである。その他は請求項１と同等の効果を奏するものである。
【００１３】
次に、請求項３の発明は、前記被当接部は、前記フック部材の上部に略水平状に形成され、前記作動突起部は、前記振子状部材の上端に適宜の間隔をおいて２つ形成され、常時は、前記２つの作動突起部の間に前記被当接部が位置するようにしたことで、振子状部材の揺動が左右いずれの方向に傾動しても、前記フック部材の被当接部に当接することができ、フック部材を作動させることができる。よって、本発明の耐震ラッチは、その地震時の揺れによる引出の飛び出し方向に拘束されずに装着することができるものである。
【００１４】
次に、請求項４の発明は、地震発生によって、傾動する振子状部材の突起部が前記被当接部に当接を開始したときに、前記被当接部の長手方向両端は略曲面形状に形成されたことにより、前記振子状部材の突起部が、前記被当接部に当接を開始して、その被当接部を円滑に押し退けるようにして移動させることができる。よって、該被当接部と共に前記フック部材も地震発生に即座に反応して、前記ケーシングの開口より外部に突出することができる。
【００１５】
次に、請求項５の発明は、前記作動突起部の前記被当接部に最初に当接する部分は傾斜面とすることにより、その突起部によって、前記被当接部に当接してから、該被当接部を押し退ける動作が容易に行われることになる。次に、請求項６の発明は、前記振子状部材は揺動中心部よりも下部側に重量部が形成されることにより、振子状部材をケーシングに装着する際に、揺動中心部の下部側に重心が設定することが容易にできるものである。
【００１６】
次に、請求項７の発明は、前記重量部は、収納室部と、該収納室部に収納される錘材とから構成することにより、前記錘材の重さにおいて種々のものを備えておくことで、その錘材を適宜交換することにより、振子状部材の重量部の重量を変化させることができる。これによって、前記振子状部材が揺動を開始し、フック部材が動作するときの揺れの大きさを、どの程度の大きさの地震からにするのかを錘材の重量によって、設定することができる。このような構成とした耐震ラッチは、小さな力で引き出される引出を備えた家具や、大きな力で引き出される引出を備えた家具のいずれに対しても、使用することができるものである。次に、請求項８の発明は、前記錘材は、適宜の枚数の薄板片から構成されたことにより、その薄板片の数を適宜増減させることで重量の調整が簡単にできる。
【発明を実施するための最良の形態】
【００１７】
以下、本発明の実施形態を図面に基づいて説明する。まず、本発明において、第１実施形態では、主に、図１に示すように、ケーシングＡ ，振子状部材Ｂ，フック部材Ｃとから構成される。そのケーシングＡは、図１（Ａ）,図３に示すように、収納筺部１及びフランジ部４とから構成されている。その収納筺部１は、略直方体状の空間として形成され、内室側は、正面奥内壁１ａ、両側内壁１ｂ，１ｂ、上内壁１ｃ、下内壁１ｄとから構成されている。
【００１８】
具体的には、その正面奥内壁１ａの外周に略直角状に側内壁１ｂ、上内壁１ｃ及び下内壁１ｄが形成され、筐体を形成するものである。該下内壁１ｄは、後述する振子状部材Ｂの重量部の下面側と略同等の円弧状側面として形成されている〔図２（Ａ）参照〕。その収納筺部１の外部に開放された部位は開口１ｅである〔図1（Ａ）,図３参照〕。さらに、前記側内壁１ｂと下内壁１ｄとのなす隅角部には、後述するフック部材Ｃのフック主板が当接する規制段部１ｆが形成されている〔図1（Ａ）,図３参照〕。該規制段部１ｆは、前記収納筺部１の幅方向両側箇所に形成され、該収納筺部１に開口１ｅ箇所に枢支連結されたフック部材Ｃのフック主板１１の下端箇所が当接し、そのフック主板１１が略垂直状となって、前記開口１ｅを塞ぐように維持する役目をなすものである〔図２（Ｂ）参照〕。
【００１９】
その収納筺部１の外周には、略方形状の鍔状部３が形成され、該鍔状部３の対向する両辺部より、フランジ部４が形成されている〔図1（Ａ）,図３参照〕。該フランジ部４は、ビス等の固着具用の貫通孔４ａ，４ａが形成されている。また、前記フランジ部４の肉厚は、前記鍔状部３の肉厚よりも厚く形成されており、家具の引出収納部の側板に強固に装着することができるようになっている。
【００２０】
前記収納筺部１の正面奥内壁１ａには、図１（Ａ）,図３に示すように、揺動支持部２が形成されている。該揺動支持部２は、円筒形状をなし、前記正面奥内壁１ａに対して直角に膨出形成されたものである。その揺動支持部２は、後述する振子状部材Ｂを揺動自在に枢支連結する役目をなすものである。その揺動支持部２の先端２ａには、枢支連結孔２ｂが形成されている。該枢支連結孔２ｂは、前記振子状部材Ｂを枢支連結するためのピン部材９が遊挿される〔図２（Ｂ）,（Ｃ）参照〕。また、前記収納筺部１は、略直方体形状としたが、円筒形状とすることもある。
【００２１】
次に、振子状部材Ｂは、図1（Ｂ）,図４に示すように、揺動基部５，重量部６及び作動突起部７とから構成される。前記揺動基部５は、揺動中心孔５ａが形成されている。該揺動中心孔５ａよりも下方に重量部６が形成される。その重量部６は、略逆台形状で、下面側は円弧状面であり、その円弧の中心は、前記揺動中心孔５ａの中心点である。その重量部６は、収納室６ａが形成され、内部に錘材８が収納される構成である〔図１（Ｂ）参照〕。
【００２２】
前記収納室６ａの形状は、前記重量部６の正面外形に略等しい空隙として形成されたものである。その収納室６ａに前記錘材８が収納されることにより、振子状部材Ｂの揺動中心孔５ａの中心点位置よりも下部に位置する重量部６が最も重い部分となり、振子状部材Ｂの重心Ｇの位置は、前記揺動中心孔５ａの位置よりも下方となる〔図２（Ａ）参照〕。錘材８は、金属材から形成され、前記、収納室６ａに収納することができるように、略逆扇形状に形成されている。この錘材８は、単一のブロックで、前記収納室６ａを一つで満たすものや〔図１（Ｂ）参照〕、複数枚の薄板片８ａ，８ａ，…から構成されるタイプが存在する〔図１（Ａ）参照〕。前記錘材８を複数の薄板片８ａから構成するものでは、その収納室６ａへの収納枚数により、重量部６の重さを適宜設定することができる。
【００２３】
次に、作動突起部７は、図１（Ｂ）及び図４（Ａ）,（Ｄ）,（Ｅ）に示すように、前記揺動基部５の上端に左右対称となる位置に２つ形成されている。該作動突起部７は、後述するフック部材Ｃの被当接部１２に当接して、その被当接部１２を押し退けるようにして、フック部材Ｃを作動させる役目をなす部位である。その作動突起部７は、略半円形状をなしている。さらに、その作動突起部７には、振子状部材Ｂが揺動動作で傾動したときに、前記被当接部１２と最初に当接する箇所が傾斜面７ａとして形成されることもある。該傾斜面７ａの存在により、作動突起部７が被当接部１２に当接し、さらにその被当接部１２を押し退ける一連の動作が円滑に行われる。その振子状部材Ｂは、前記ケーシングＡの揺動支持部２にピン部材９によって、揺動自在に装着される（図２参照）。この振子状部材Ｂの揺動方向すなわち揺動面は、前記ケーシングＡの収納筺部１の幅方向（略幅方向も含む）で且つ垂直面上（略垂直面上も含む）となる。その振子状部材Ｂの前記ケーシングＡの収納筺部１への装着については、その振子状部材Ｂの重心Ｇの位置よりも上方の位置が枢支連結される。これによって、振子状部材Ｂの枢支連結箇所と重心Ｇとを結ぶ線は、常時垂直方向に向いている。すなわち、振子状部材Ｂは、非地震時では、鉛直方向に静止している。
【００２４】
次に、フック部材Ｃは、図１（Ａ）,（Ｂ）及び図５に示すように、枢支基部１０，フック主板１１及び被当接部１２とから構成されている。その枢支基部１０には、軸支孔１０ａが形成されている。そして、フック部材Ｃは、その軸支孔１０ａと前記ケーシングＡの枢支連結孔１ｇに枢支軸１４が挿通されて、前記ケーシングＡの開口１ｅ箇所に枢支連結され、ケーシングＡの収納筺部１に、そのフック主板１１の下方を自由端として揺動することができるようになっている〔図２（Ｂ）,図６（Ｂ）参照〕。そのフック部材Ｃの揺動方向は、前記振子状部材Ｂの揺動方向に直交（略直交も含む）する垂直面上（略垂直面上も含む）である。すなわち、該フック部材Ｃの揺動する方向の垂直面と、前記振子状部材Ｂの揺動する方向の垂直面とは直交（略直交も含む）することになる〔図６（Ａ），（Ｂ）参照〕。
【００２５】
その枢支基部１０は、図１（Ｄ）,図５（Ｂ）に示すように、板片状をなし、前記フック主板１１の裏面側より突出するようにして形成されたものである。その枢支基部１０とフック主板１１とのなす内角の角度は鈍角であり、１００度乃至１１０度の範囲であり、好適には約１０５度程度である。このように、枢支基部１０が前記フック主板１１の裏面側から突出形成さることにより、フック部材ＣがケーシングＡの収納筺部１に枢支連結された状態で、常時は、そのフック主板１１が略垂直となって、前記収納筺部１の開口１ｅを塞ぐ状態が維持されることになる〔図２（Ｂ）参照〕。すなわち、常時は、フック主板１１は、前記収納筺部１の開口１ｅからケーシングＡの外方に突出しない状態に維持されるものである。前記フック主板１１は、板状をなし、その下方且つ幅方向の一辺が係止部１１ａとして使用され、後述するストッパ体Ｄと係止する部位となる〔図１（Ｄ），図５（Ｂ）参照〕。
【００２６】
その枢支基部１０には、図１（Ｄ），図５（Ａ）に示すように、その長手方向（フック主板１１の幅方向に相当する）の中心から適宜の範囲に亘って凹部１０ｂが形成されている。図５（Ｄ），（Ｅ）及び（Ｆ）は、その凹部１０ｂが形成されている位置の断面形状を示している。
【００２７】
該被当接部１２は、前記フック主板１１の裏面側に形成される。さらに、具体的には、前記枢支基部１０とフック主板１１との隅角箇所で且つ前記凹部１０ｂの形成範囲内に、前記被当接部１２が形成されている〔図１（Ｄ），図５（Ａ）参照〕。その被当接部１２は、フック部材Ｃの幅方向において、その端部付近で膨出量が小さく、長手方向の中心に向って次第に膨出量が大きくなる。またその被当接部１２の位置は、フック主板１１が垂直にした状態で、前記枢支基部１０の軸支孔１０ａの中心位置よりも僅かに下方に位置することになる〔図５（Ｂ）参照〕。その被当接部１２は、断面略三角形状に形成され、その全長は、前記フック主板１１の幅方向の寸法より短く形成されている。前記被当接部１２の断面形状は、上記に限定されるものではなく、作動突起部７が当接しやすい形状であれば、円弧又は方形状等のように、どのような形状であってもかまわない。
【００２８】
前記被当接部１２は、前記振子状部材Ｂが揺動動作によって、図６（Ａ），図８（Ａ）に示すように、傾動した状態で、該振子状部材Ｂの作動突起部７が当接する。そして、その作動突起部７の当接によって、図８（Ｂ），（Ｃ）に示すように、前記被当接部１２が前記開口１ｅから外方に押し退けられる状態となり、フック部材Ｃのフック主板１１を揺動させて、その下部の係止部１１ａを前記ケーシングＡの開口１ｅから突出させる役目をなす部位である。また、前記被当接部１２の長手方向の端部箇所は、球面状部１２ａとして形成されている。該球面状部１２ａは、前記被当接部１２の長手方向端部が球面形状となるように形成された部位であり、前記振子状部材Ｂの作動突起部７との当接したときに、被当接部１２が押し退けられる動作が円滑となる。
【００２９】
次に、ストッパ体Ｄは、図１０に示すように、ベース部１５，被係止部１６，固定フック１７，ロック部１８及び操作部１９とから構成されている。前記ベース部１５は、略長方形板状に形成されている。そのベース部１５の表面側に被係止部１６が形成されている。該被係止部１６は、前記フック部材Ｃの係止部１１ａと係止する部位である。具体的にはベース部１５の長手方向の一端側で且つ表面側から突出するようにして形成されたものである。その被係止部１６の被係止面は、前記ベース部１５の長手方向及び表面に対して直角状面として形成されたものである。
【００３０】
そのベース部１５の裏面側で且つその長手方向一端側に前記固定フック１７が形成され、長手方向の他端側にロック部１８が設けられている。その固定フック１７は、前記ベース部１５の長手方向に対して略直角方向に突出条となるように形成されたものであり、その突出する先端には鉤形状片が形成されている。また、前記ロック部１８は、前記ベース部１５の裏面側で回動自在とし、その回動操作は、ベース部１５の表面側で操作部１９によって行なわれる。
【００３１】
前記ロック部１８は、略長方形板状に形成されたもので、前記操作部１９と連結している。該操作部１９は、撮み部１９ａと連結軸１９ｂとから構成され、該連結軸１９ｂが前記ベース部１５を貫通して前記ロック部１８に連結している。前記ベース部１５には、略切欠形状の貫通部１５ａが形成されており、その貫通部１５ａに前記操作部１９の連結軸１９ｂが貫通するようになっている。このとき、前記ベース部１５の裏面側とロック部１８との間には隙間が設けられている。その隙間は、ストッパ体Ｄが装着される引出を構成する金属板の厚さに略等しく設定されている。前記撮み部１９ａの表面には、プラス又はマイナスドライバが使用できるドライバ用溝が形成されている。
【００３２】
次に、本発明における引出用耐震ラッチ体の第２実施形態を説明する。第２実施形態では、図９に示すように、前記振子状部材Ｂの作動突起部７を一つとし、前記被当接部１２はその長手方向の中央箇所で、該被当接部１２の非形成領域としたものである。そして振子状部材Ｂの作動突起部７は、常時は、その非成形領域に位置している。
【００３３】
本発明における引出用耐震ラッチと、ストッパ体Ｄは、食器棚，箪笥，キャビネット等の引出付き家具に装着されるものである〔図１１（Ａ）参照〕。まず引出用耐震ラッチ体は、家具本体２０側に装着され、前記ストッパ体Ｄは、引出２１側に装着される。具体的には、本発明の引出用耐震ラッチのケーシングＡは、家具本体２０の両本体側板２１ａ，２１ａの内面側で、且つ前記引出２１の両側板２１ａ，２１ａに対応する位置に装着される〔図１１（Ｂ）参照〕。
【００３４】
その引出用耐震ラッチのケーシングＡの装着では、該ケーシングＡ を埋め込む窪みが前記本体側板２０ａに形成される。また、前記ストッパ体Ｄは、前記固定フック１０が引出２１の側板２１ａに形成された貫通孔に挿入され、他方側のロック部１８が別の貫通孔に挿入され、ベース部１５の表面側に位置する操作部１９を回転させることによって、ロック部１８が側板２１ａに係止される〔図１１（Ｂ）参照〕。
【００３５】
次に、本発明の地震発生時における作動状態を説明する。まず、地震発生直前では、引出用耐震ラッチの振子状部材Ｂは、揺動中心部と重心Ｇとを結ぶ線が鉛直方向に向いている〔図２（Ａ）,図７（Ａ）等参照〕。この状態で、前記振子状部材Ｂの作動突起部７と、前記フック部材Ｃの被当接部１２とは、当接していない状態である〔図７（Ｂ），（Ｃ）参照〕。次に、地震が発生すると、家具本体２０が揺れて、振子状部材Ｂが揺動中心部を中心にして、前記重量部６に揺れがかかり、その重量部６の揺れによって、振子状部材Ｂが揺動を開始し、傾動する〔図６（Ａ），図８（Ａ）参照〕。そして、揺動基部５と共に作動突起部７が移動して、前記フック部材Ｃの被当接部１２に当接する。
【００３６】
そして、前記作動突起部７の当接によって、前記被当接部１２は、押し退けられ〔図８（Ｂ），（Ｃ）参照〕、前記フック部材Ｃのフック主板１１は、枢支連結部を中心にして、ケーシングＡの収納筺部１の開口１ｅから外方に移動させられ、このためにフック主板１１の下部の係止部１１ａがケーシングＡの収納筺部１より外方に突出する〔図６（Ｂ），（Ｃ）参照〕。
【００３７】
一方、引出２１は、静止の状態〔図１２（Ａ）参照〕から地震発生の揺れによって飛び出しを開始する〔図１２（Ｂ）参照〕。その引出２１がさらに飛び出すと、該引出２１側に装着されたストッパ体Ｄの被係止部１６が前記フック主板１１の係止部１１ａと係止し、引出２１がそれ以上、飛び出すことを防止できるものである〔図１２（Ｃ）参照〕。また、地震が終了すると、前記振子状部材Ｂは、静止し、前記フック主板１１は収納筺部１内に納まり、前記ストッパ体Ｄの被係止部１６と、前記フック部材Ｃとの係止部１１ａとの係止が解除され、前記引出２１は、通常の動作を行うことができる。
【図面の簡単な説明】
【００３８】
【図１】（Ａ）は第１実施形態の引出用耐震ラッチの分解斜視図、（Ｂ）は振子状部材の斜視図、（Ｃ）は錘材の斜視図、（Ｄ）はフック部材の裏面側から見た斜視図、（Ｅ）は第１実施形態の引出用耐震ラッチの斜視図である。
【図２】（Ａ）は第１実施形態の引出用耐震ラッチのフック部材を外した状態の正面図、（Ｂ）は（Ａ）の縦断側面図、（Ｃ）は（Ｂ）の要部拡大図である。
【図３】（Ａ）はケーシングの正面図、（Ｂ）はケーシングの縦断側面図である。
【図４】（Ａ）は振子状部材の正面図、（Ｂ）は振子状部材の側面図、（Ｃ）は振子状部材の縦断側面図、（Ｄ）は振子状部材の平面図、（Ｅ）は振子状部材の背面図である。
【図５】（Ａ）はフック部材の背面図、（Ｂ）はフック部材の側面図、（Ｃ）は（Ａ）のＸ１−Ｘ１矢視断面拡大図、（Ｄ）は（Ａ）のＸ２−Ｘ２ 矢視断面拡大図、（Ｅ）は（Ａ）のＸ３−Ｘ３、（Ｆ）は（Ａ）のＸ４−Ｘ４ 矢視断面拡大図である。
【図６】（Ａ）は地震の衝撃により振子状部材が傾動した状態を示すケーシングの正面から見た作用図、（Ｂ）は（Ａ）の縦断側面図、（Ｃ）は（Ｂ）の要部拡大図である。
【図７】（Ａ）は静止している振子状部材の作動突起部とフック部材の被当接部との位置関係を示す正面拡大図、（Ｂ）は（Ａ）のＸ５−Ｘ５ 矢視断面図、（Ｃ）は（Ａ）のＸ６−Ｘ６ 矢視断面図ある。
【図８】（Ａ）は地震の衝撃で傾動した振子状部材の作動突起部とフック部材の被当接部との位置関係を示す正面拡大図、（Ｂ）は（Ａ）のＸ７−Ｘ７ 矢視断面図、（Ｃ）は（Ａ）のＸ８−Ｘ８ 矢視断面図ある。
【図９】（Ａ）は本発明の第２実施形態の引出用耐震ラッチのフック部材を外した状態の正面図、（Ｂ）はフック部材の背面図である。
【図１０】（Ａ）はストッパ体の斜視図、（Ｂ）はストッパ体の平面図、（Ｃ）は（Ａ）のＸ９−Ｘ９ 矢視断面図である。
【図１１】（Ａ）は本発明を家具に装着した状態を示す一部切除した斜視図、（Ｂ）は（Ａ）の要部の横断平面図である。
【図１２】（Ａ）は引出に装着された引出用耐震ラッチの地震発生直前における状態を示す作用図、（Ｂ）は地震が発生により引出が飛び出して引出用耐震ラッチのフック部材が飛び出した状態の作用図、（Ｃ）は引出がさらに飛び出してストッパ体の被係止部にラッチ体の係止部が係止した状態を示す作用図である。
【符号の説明】
【００３９】
Ａ…ケーシング、Ｂ…振子状部材、Ｃ…フック部材、1ｅ…開口、6…重量部、
6ａ…収納室部、7…作動突起部、７ａ…傾斜面、８…錘材、８ａ…薄板片、
１２…被当接部。
【図１】
2007175252.tif 000003
【図２】
2007175252.tif 000004
【図３】
2007175252.tif 000005
【図４】
2007175252.tif 000006
【図５】
2007175252.tif 000007
【図６】
2007175252.tif 000008
【図７】
2007175252.tif 000009
【図８】
2007175252.tif 000010
【図９】
2007175252.tif 000011
【図１０】
2007175252.tif 000012
【図１１】
2007175252.tif 000013
【図１２】
2007175252.tif 000014